(57)【特許請求の範囲】
【請求項１】
下部マットレス体と、この下部マットレス体の上面側に配置される上部マットレス体と、これらマットレス体を被覆する外装体とを具備し、
前記外装体は、
前記下部マットレス体と前記上部マットレス体の外周面を覆うマチ地と、
前記マチ地の下端にこのマチ地と一体的に設けられて前記下部マットレス体の下面を覆う下部鏡地と、
前記マチ地の上端にこのマチ地と一体的に設けられて前記上部マットレス体の上面を覆う上部鏡地と、
前記マチ地の高さ方向の中途部に設けられ前記マチ地の内部空間を前記下部マットレス体が収容される下部収容部、及び前記上部マットレス体が収容される上部収容部に隔別した仕切り部材と、
前記下部鏡地に設けられ前記下部収容部に前記下部マットレス体を出し入れするときに前記下部収容部を開放可能とする第１の開放手段と、
前記仕切り部材に設けられ前記下部収容部を介して前記上部収容部に前記上部マットレス体を出し入れするときに前記上部収容部を開放可能とする第２の開放手段と
によって構成されていることを特徴とするマットレス装置。
【請求項２】
前記マチ地には、前記下部マットレス体の上面と前記上部マットレス体の下面との間に入り込む差し込み部が全周にわたって設けられていることを特徴とする請求項１記載のマットレス装置。
【請求項３】
前記マチ地は、前記下部収容部を形成する下部マチ部と、前記下部マチ部の上端に下端が縫合されて前記上部収容部を形成する上部マチ部とに分割されていて、
前記下部マチ部と前記上部マチ部の縫合部分に前記差し込み部が設けられていることを特徴とする請求項２記載のマットレス装置。
【請求項４】
前記第１の開放手段は、
一端が前記下部鏡地の長手方向一端部の幅方向の中途部に位置し、他端が前記長手方向の中途部に位置する第１のファスナと、
一端が前記第１のファスナの他端部に位置し、他端が前記下部鏡地の長手方向の他端部で、幅方向の一端部と他端部に位置する一対の第２のファスナであることを特徴とする請求項１記載のマットレス装置。
【請求項５】
前記上部鏡地には、前記上部収容部を開放可能とする第３の開放手段が設けられていることを特徴とする請求項１記載のマットレス装置。
【発明の詳細な説明】
【技術分野】
【０００１】
この発明は下部マットレス体の上側に上部マットレス体が設けられる二層構造のマットレス装置に関する。
【背景技術】
【０００２】
マットレス装置には種々のタイプのものがあり、その１つとして下部マットレス体の上側に上部マットレス体が設けられた二層構造のマットレス装置が知られている。通常、下部マットレス体はクッション材としてスプリングユニットが使用され、上部マットレス体はクッション材として発泡弾性材、化学繊維綿、繊維フェルトなど、前記上部マットレス体に要求される機能に応じたクッション材が用いられる。
【０００３】
マットレス装置を二層構造とすることによって、前記下部マットレス体の持つ性能と、前記上部マットレス体の持つ性能との相乗効果によって、一層構造では得られない性能、たとえばクッション性能や寝心地などの性能の向上を図ることができる。
【０００４】
ところで、従来の二層構造のマットレス装置は、特許文献１に示されるように、下部マットレス体（本体部）のスプリングユニットと、上部マットレス体（マット部）の弾性体を、それぞれ別々の外装体によって被覆して構成されている。
【０００５】
そして、前記下部マットレス体の上面に、前記上部マットレス体を単に載置したり、或いは面状ファスナによって着脱可能に取付けて載置するようにしている。
【０００６】
特許文献１に示された前記下部マットレス体は、スプリングユニットの上面と下面にそれぞれシート状のばね受け部材を介して鏡地を設ける一方、外周面にマチ地を設け、このマチ地の上端と下端にそれぞれ前記鏡地の周縁部をエッジテープによって縫合している。
【０００７】
それによって、前記スプリングユニットと上下一対のばね受け部材の重合体が前記鏡地とマチ地とからなる外装体によって被覆されている。  
前記上部マットレス体はシート状の弾性体の上面と下面にそれぞれ表地と裏地を重合し、これら布地の周縁部を同じくエッジテープによって縫合して構成されている。
【先行技術文献】
【特許文献】
【０００８】
【特許文献１】実公昭６３−１４６５５９号公報
【発明の概要】
【発明が解決しようとする課題】
【０００９】
上述した二層構造のマットレス装置によると、前記下部マットレス体と前記上部マットレス体が別体構造となっている。そのため、前記上部マットレス体の弾性体と、前記下部マットレス体のスプリングユニットを別々の外装体によって被覆しなければならないから、各マットレス体の組立て作業に多くの手間が掛かるということがあった。
【００１０】
とくに、前記下部マットレス体の場合、前記外装体は前記スプリングユニットの上面と下面を覆う一対の鏡地と、外周面を覆うマチ地とに分割されている。そして、前記スプリングユニットを前記外装体によって被覆するには、下側の鏡地の周縁にマチ地の下端をエッジテープによって縫合し、前記外装体を、最初に上面が開口した袋状とする。
【００１１】
ついで、前記マチ地と下側の鏡地とによって袋状に形成された未完成の状態にある前記外装体の内部に前記スプリングユニットを収容した後、前記マチ地の上端に上側の鏡地の周縁をエッジテープによって縫合するようにしている。
【００１２】
しかしながら、このような組立て作業によると、未完成の状態にある前記外装体は内部に前記スプリングユニットが収容されていて高重量であるばかりか、平面形状もかなり大きいため、取り扱いが容易でない。
【００１３】
そのため、前記マチ地の上端に上側の鏡地の周縁をエッジテープによって縫合する際、固定的に設置されたミシンに対し、内部に前記スプリングユニットが収容された未完成の前記外装体を移動させて、前記エッジテープを縫合するという作業は困難となる。
【００１４】
そこで、比較的小型のハンディータイプのミシンを作業者が手に持ち、そのミシンを未完成の前記外装体の周縁部に沿って移動させることで、前記マチ地の上端に上側の鏡地をエッジテープによって縫合するということを行うようにしていた。
【００１５】
しかしながら、ハンディータイプのミシンを作業者が手に持って移動させながら、前記マチ地の上端に上側の鏡地をエッジテープによって縫合するという作業も容易でないから、その縫合作業に多大な労力を要するということがあるばかりか、作業に熟練を要するなどのことがあるため、生産性の向上を図ることができないということがあった。
【００１６】
この発明は、１つの外装体によって下部マットレス体と上部マットレス体を一体的に、しかも比較的簡単な作業で容易に被覆できるようにしたマットレス装置を提供することにある。
【課題を解決するための手段】
【００１７】
この発明は、下部マットレス体と、この下部マットレス体の上面側に配置される上部マットレス体と、これらマットレス体を被覆する外装体とを具備し、
前記外装体は、
前記下部マットレス体と前記上部マットレス体の外周面を覆うマチ地と、
前記マチ地の下端にこのマチ地と一体的に設けられて前記下部マットレス体の下面を覆う下部鏡地と、
前記マチ地の上端にこのマチ地と一体的に設けられて前記上部マットレス体の上面を覆う上部鏡地と、
前記マチ地の高さ方向の中途部に設けられ前記マチ地の内部空間を前記下部マットレス体が収容される下部収容部、及び前記上部マットレス体が収容される上部収容部に隔別した仕切り部材と、
前記下部鏡地に設けられ前記下部収容部に前記下部マットレス体を出し入れするときに前記下部収容部を開放可能とする第１の開放手段と、
前記仕切り部材に設けられ前記下部収容部を介して前記上部収容部に前記上部マットレス体を出し入れするときに前記上部収容部を開放可能とする第２の開放手段と
によって構成されていることを特徴とするマットレス装置にある。
【発明の効果】
【００１８】
この発明によれば、前記下部マットレス体と前記上部マットレス体を、予め縫製された１つの外装体によって被覆でき、しかも前記上部マットレス体と前記下部マットレス体を、前記上部収容部と前記下部収容部に順次収容できるから、各マットレス体の前記外装体による被覆作業を容易かつ迅速に行うことができる。
【００１９】
しかも、前記外装体に収容された前記上部マットレス体と前記下部マットレス体の間には仕切り部材が設けられている。そのため、前記外装体は前記仕切り部材を介して前記上部マットレス体と前記下部マットレス体によって挟持されるから、使用時に前記外装体が各マットレス体に対してずれ動くのを防止することができる。
【図面の簡単な説明】
【００２０】
【図１】この発明の第１の実施の形態のマットレス装置を示す斜視図。
【図２】図１に示すマットレス装置を上下逆向きにした状態の斜視図。
【図３】図２に示す状態にあるマットレス装置の下鏡地を開放した状態の斜視図。
【図４】図１に示すマットレス装置に用いられる外装体の縦断面図。
【図５】この発明の第２の実施の形態のマットレス装置を示す斜視図。
【発明を実施するための形態】
【００２１】
以下、この発明の実施の形態を、図面を参照しながら説明する。  
図１乃至図４はこの発明の第１の実施の形態を示し、図１に示すマットレス装置Ｍは外装体１を備えている。図４に鎖線で示すように、前記外装体１の内部には下部マットレス体２と上部マットレス体３とが上下方向に重ねて後述するように収容される。
【００２２】
詳細は図示しないが、前記下部マットレス体２はクッション体としてスプリングユニットが用いられている。このスプリングユニットの上下面にはそれぞれサイザルなどの保護シートと、発泡弾性材などの弾性シートが順次重合されている。前記保護シートと弾性シートの周辺部はフランジ布によって前記スプリングユニットの外周部に保持固定されている。
【００２３】
前記上部マットレス体３は、クッション体としてシート状の発泡弾性材や化学繊維綿などの弾性材が用いられ、この弾性材の上下面を保護シートで覆って形成されている。なお、前記保護シートを袋状に形成し、その内部に前記弾性材を収容するようにしてもよい。
【００２４】
図４に示すように、前記外装体１は前記下部マットレス体２の外周面を覆う下部マチ地７を有する。この下部マチ地７の下端には前記下部マットレス体２とほぼ同じ大きさの矩形状に形成された下部鏡地８が設けられている。この下部鏡地８と前記下部マチ地７は１枚の布地を上面が開口した袋状に縫製することによって一体的に形成されている。
【００２５】
前記下部マチ地７の上端には内方に向かって折り曲げられた第１のフランジ部９が全周にわたって設けられている。そして、前記下部マチ地７と前記下部鏡地８とによって内部に前記下部マットレス体２が収容される下部収容部１１が形成されている。
【００２６】
前記下部鏡地８には、この下部鏡地８を開閉可能とするための第１の開放手段１２が設けられている。この第１の開放手段１２は、図２と図３に示すように一端が前記下部鏡地８の長手方向一端部の幅方向の中途部に位置し、他端が前記長手方向の中途部に位置する第１のファスナ１３と、一端が前記第１のファスナ１３の他端部に位置し、他端が前記下部鏡地８の長手方向の他端部の幅方向の一端部と他端部に位置する一対の第２のファスナ１４によって構成されている。つまり、３つのファスナ１３，１４，１４を前記下部鏡地８にＹ字状に設けることで、前記第１の開放手段１２が構成されている。
【００２７】
各ファスナ１３，１４のスライダ（図示せず）を、３つのファスナ１３，１４の端部が衝合した箇所から、図２に矢印Ａと矢印Ｂで示す方向へスライドさせれば、前記下部鏡地８は３つの部分に分割される。それによって、分割された各部分を図３に示すように開くことで、前記下部収容部１１の下面側、つまり前記下部鏡地８を開放することができる。
【００２８】
さらに、前記外装体１は前記上部マットレス体３の外周面を覆う上部マチ地１６を有する。この上部マチ地１６の上端には下部鏡地８とほぼ同じ大きさの矩形状をなした上部鏡地１７が設けられている。この上部鏡地１７と前記上部マチ地１６は１枚の布地を下面が開口した袋状に縫製することによって一体的に形成されている。
【００２９】
図４に示すように、前記上部マチ地１６の下端には内方に向かって折り曲げられた第２のフランジ部１８が全周にわたって設けられている。そして、前記上部マチ地１６と前記上部鏡地１７とによって内部に前記上部マットレス体２が収容される上部収容部１９が形成されている。
【００３０】
第１、第２の収容部１１，１９の内方に向かって折り曲げられた前記第１のフランジ部９と前記第２のフランジ部１８は重ねられ、これらの重合部分の端部には矩形状の布地からなる仕切り部材２１の周辺部が重ねられる。そして、これら三者の重合部分の端部は一体的に縫合される。  
それによって、前記外装体１の内部に形成された前記下部収容部１１と前記上部収容部１９は前記仕切り部材２１によって隔別されている。
【００３１】
前記仕切り部材２１は前記下部鏡地８及び前記上部鏡地１７よりも小さな矩形状に形成されている。そのため、前記仕切り部材２１の周辺部と、この周辺部に重ねられた前記第１のフランジ部９と前記第２のフランジ部１８の端部を縫合すると、その縫合部分よりも外方側には前記第１のフランジ部９と前記第２のフランジ部１８が縫合されない状態で対向する差し込み部２２が形成される。つまり、前記差し込み部２２は前記外装体１の高さ方向中途部に、周方向全長にわたって形成される。
【００３２】
前記仕切り部材２１には、図３に示すように前記フランジ部９，１８との縫合部分よりも内方の部分に第２の開放手段２３が設けられている。この第２の開放手段２３は、前記仕切り部材２１の一対の短辺及び１つの長辺の全長にわたってコ字状に設けられた第３のファスナ２４からなる。この第３のファスナ２４には図示しない複数のスライダ、この実施の形態では２つのスライダが設けられている。
【００３３】
２つの前記スライダは前記仕切り部材２１の前記下部収容部１１に対向する下面側からスライド操作できるように設けられている。つまり、２つの前記スライダをそれぞれ前記仕切り部材２１の前記長辺の中途部から両端を経て各短辺の末端までスライドさせることで、前記第３のファスナ２４を外すことができるようになっている。
【００３４】
前記第３のファスナ２４を外せば、前記仕切り部材２１を開放することができる。それによって、前記外装体１に形成された前記上部収容部１９を前記下部収容部１１に連通させることができる。さらに、前記第１の開放手段１２の前記第１のファスナ１３と前記第２のファスナ１４をスライドさせて外し、前記下部鏡地８を開放すれば、前記下部収容部１１を外部に連通させることができる。
【００３５】
それによって、開放された前記仕切り部材２１、前記下部収容部１１及び開放された前記下部鏡地８を介して前記上部収容部１９を外部、つまり前記外装体１の下面側に開放することができる。
【００３６】
つぎに、上述した構成の前記外装体１によって前記下部マットレス体２と上部マットレス体３を被覆する手順について説明する。
【００３７】
まず、図２に示すように前記外装体１の上下を逆にし、前記下部鏡地８を上にする。ついで、前記下部鏡地８の前記第１の開放手段１２の第１、第２のファスナ１３，１４のスライダをスライドさせて前記下部鏡地８を開放した後、前記仕切り部材２１の前記第２の開放手段２３の第３のファスナ２４のスライダをスライド操作させて前記仕切り部材２１を開放する。
【００３８】
それによって、上述したように前記上部収容部１９を、前記仕切り部材２１、前記下部収容部１１及び前記下部鏡地８を介して前記外装体１の外部に開放させることができる。その後、開放された前記下部収容部１１から、前記上部収容部１９に前記上部マットレス体３を収容する。
【００３９】
前記上部収容部１９に前記上部マットレス体３を収容したならば、前記仕切り部材２１の第３のファスナ２４をスライドさせて前記仕切り部材２１を閉じる。つまり、前記上部マットレス体３が収容された前記上部収容部１９を閉塞する。
【００４０】
ついで、前記下部収容部１１に前記下部マットレス体２を収容した後、前記下部鏡地８に設けられた第１、第２のファスナ１３，１４のスライダをスライドさせて前記第１、第２のファスナ１３，１４を閉じ、前記下部収容部１１を閉塞する。
【００４１】
そして、前記外装体１を図１に示すように前記下部鏡地８が下になるよう上下逆向きにすれば、前記下部収容部１１に収容された前記下部マットレス体２の上側に、前記上部収容部１９に収容された前記上部マットレス体３が前記仕切り部材２１を介して重ねられて前記外装体１内に収容された状態となる。
【００４２】
すなわち、上述したように、予め下部収容部１１と上部収容部１９とが一体的に形成された構成の前記外装体１を用いることで、前記上部収容部１９に前記上部マットレス体３を収容した後、前記下部収容部１１に前記下部マットレス体２を収容することで、これらマットレス体２，３を前記外装体１によって被覆することができる。
【００４３】
そのため、前記下部マットレス体２と前記上部マットレス体３とを、別々の外装体によって被覆していた従来に比べ、その被覆作業を容易に、しかも迅速に行うことが可能となる。
【００４４】
しかも、前記下部マットレス体２を外装体１によって被覆するとき、従来のようにハンディータイプのミシンを移動させながら、マチ地と鏡地をエッジテープによって縫製するという、縫製作業を伴うことなく行なえるから、そのことによっても作業の容易化や迅速化を図ることができる。
【００４５】
前記外装体１内に前記上部マットレス体３と前記下部マットレス体２を収容することで、前記外装体１内に設けられた前記仕切り部材２１が前記下部マットレス体２の上面と前記上部マットレス体３の下面とによって挟持される。
【００４６】
そのため、前記外装体１が前記上部マットレス体３と前記下部マットレス体２に対してずれ動くのが制限されるから、使用に伴って前記マットレス装置Ｍの外観が損なわれたり、寝心地が低下するなどのことが防止される。
【００４７】
前記外装体１の前記下部マチ地７の上端部と、前記上部マチ地１６の下端部との縫合部分には、前記外装体１の全周にわたって前記差し込み部２２が形成されている。そのため、前記構成のマットレス装置Ｍを図示しないシーツで覆う、ベッドメーキングを行う際、そのシーツの周辺部を前記差し込み部２２に差し込むことで、前記シーツを前記マットレス装置Ｍに保持することができる。
【００４８】
つまり、マットレス装置Ｍ全体に比べて薄くて軽い、前記上部マットレス体３の周辺部を持ち上げて前記差し込み部２２を開き、そこに前記シーツの周辺部を差し込むだけでよいから、従来に比べてベッドメーキングの作業を容易に、しかも迅速に行うことが可能となる。
【００４９】
図５はこの発明の第２の実施の形態を示す。この実施の形態では、外装体１の上部鏡地１７に第３の開放手段２６を構成する第４のファスナ２７を、前記上部鏡地１７の長辺及びこの長辺と隣り合う短辺との二辺に沿って設けるようにした。
【００５０】
このような構成によれば、第４のファスナ２７に設けられた図示しないスライダをスライドさせて前記第４のファスナ２７を開け、前記上部鏡地１７を捲れば、この上部鏡地１７によって覆われた上部収容部１９を開放できる。  
それによって、前記上部収容部１９に収容された前記上部マットレス体３を、前記下部収容部１１を通さずに、性能などが異なるものに交換することができる。
【００５１】
また、第２の実施の形態によれば、第１の実施の形態のように前記上部マットレス体３を前記上部収容部１９に収容するとき、前記下部収容部１１を通さずにすむから、第１の実施の形態のように前記下部収容部１１と前記上部収容部１９を隔別した仕切り部材２１に、第２の開放手段２３を設けなくとも、前記上部収容部１９に前記上部マットレス体３を出し入れすることができる。
【００５２】
なお、上述した各実施の形態では前記下部マチ地７と前記上部マチ地１６を別体とし、前記下部マチ地７の上端と前記上部マチ地１６の下端を縫合して外装体１のマチ地としたが、前記下部マチ地７と前記上部マチ地１６を一枚の布地で一体形成してもよい。つまり、一枚の布地を上下端が開口した袋状に縫製することで、前記下部マチ地７と前記上部マチ地１６を一体形成してもよい。
【００５３】
その場合、前記上部マチ地１６の上端開口に上部鏡地１７を縫合した後、前記上部マチ地１６と前記下部マチ地７の境界部分を内方へ弛ませ、その弛ませた部分の内周端部に前記仕切り部材２１の周辺部を縫合して外周部に前記差し込み部２２を形成する。ついで、前記マチ地３１の下端開口に下部鏡地８を縫合して外装体１とする。
【００５４】
前記マチ地３１の上端と、前記上部鏡地１７の周辺部との縫合は、エッジテープを用いてもよいが、エッジテープを用いず、前記マチ地３１の上端部と、前記上部鏡地１７の周辺部とを、前記マチ地３１の内側に折り曲げて縫合してもよい。
【００５５】
このような構成の外装体１においても、第１の実施の形態と同様、前記下部鏡地８には第１の開放手段１２の第１、第２のファスナ１３，１４が設けられ、前記仕切り部材２１には第２の開放手段２３の第３のファスナ２４が設けられる。
【００５６】
それによって、前記上部収容部１９、前記下部収容部１１に、第１の実施の形態と同様、前記上部マットレス体２と前記下部マットレス体２を順次収容することができる。
【００５７】
なお、第１の実施の形態では前記下部鏡地８に設けられる前記第１の開放手段１２は、第１のファスナ１３と一対の第２のファスナ１４をＹ字状に配置して構成したが、前記第２の開放手段２３と同様、前記下部鏡地８の周辺部の三辺にわたってファスナを設けるようにしてもよい。
【００５８】
また、第１の実施の形態において下部マチ地７と下部鏡地８を別体とし、これらの端部を縫合して一体化するようにしてもよく、さらに上部マチ地１６と上部鏡地１７を別体とし、これらの端部を縫合して一体化するようにしてもよい。
【符号の説明】
【００５９】
１、１Ａ…外装体、２…下部マットレス体、３…上部マットレス体、７…下部マチ地、１１…下部収容部、１２…第１の開放手段、１３…第１のファスナ、１４…第２のファスナ、１６…上部マチ地、１７…上部鏡地、１９…上部収容部、２１…仕切り部材、２２…差し込み部、２３…第２の開放手段、２４…第３のファスナ。
【図１】
0006442438.tif 000002
【図２】
0006442438.tif 000003
【図３】
0006442438.tif 000004
【図４】
0006442438.tif 000005
【図５】
0006442438.tif 000006